(57)【要約】【課題】単体で貸し玉等を循環ルートで循環させるときに設置される研磨機リフトユニットの清掃等のメンテナンスが容易となる遊技機用支持フレーム体の提供。【解決手段】遊技機用支持フレーム体１は、当該フレーム内に設置される補給機Ｈｍ及び研磨機リフトユニットＬｕによりる循環ルートを設定でき、フレーム本体１０と、キャスタ４０とを備え、前記フレーム本体は、支持台の左右に設けた右側部３及び左側部２を備え、その一方には、第１収納部２ｃを形成すると共に、その他方には、前記研磨機リフトユニットを収納する第２収納部４を形成し、前記支持台の下方に設けた引出部２０が、案内レール２２と、補給機を載置する載置台２３と、この載置台に設けた前記補給機の位置を決める位置決め片２４とを備え、前記引出部が第１移動位置と第２移動位置とに移動して前記補給機及び研磨機リフトユニットを収納及び取出す構成とした。【選択図】図１
2013252393.tif 000002
【特許請求の範囲】
【請求項１】
パチンコ機を含む遊技機を着脱自在に保持し、当該遊技機に使用され、計数して景品と交換の対象となる貸し玉である貸出計数物を、当該フレーム内に設置される補給機及び当該補給機に接続される研磨機リフトユニットにより循環させる循環ルートを設定することができる遊技機用支持フレーム体において、
前記遊技機用支持フレーム体は、前記遊技機を支持台で支持するフレーム本体と、このフレーム本体の下部に設けた移動用のキャスタと、を備え、
前記フレーム本体は、前記支持台の下部に前記補給機を支持する引出部を設置するために設けた下部収納空間と、前記支持台に支持される遊技機の上部に前記遊技機の補給ホッパにより前記研磨リフトユニットからの貸出計数物を受け取るために設けた上部収納空間と、前記支持台の左右位置に取り付けられ当該支持台に支持される遊技機に隣り合うように設けた右側部及び左側部とを備え、
前記右側部及び前記左側部の一方には、前記遊技機の前記貸出計数物の貸出装置を収納する収納空間に隣接して設けた第１収納部を形成し、前記右側部及び前記左側部の他方には、前記引出部に載置して収納される前記貸出計数物の補給機に接続される前記研磨機リフトユニットを収納する第２収納部を形成し、
前記引出部は、前記下部収納空間内となる位置の前記フレーム本体に設けられる案内レールと、この案内レールに移動可能に支持され前記補給機を載置する載置台と、この載置台に突出させて設けられ前記補給機の載置位置を決める位置決め片とを備え、
前記引出部の案内レールに沿って移動した前方の移動端では、前記補給機が、前記下部収納空間の前面側を塞ぐように設置される前板よりも前方となる移動位置に配置されると共に、前記補給機に接続される研磨機リフトユニットが、前記第２収納部よりも前方となる第１移動位置に配置され、
前記引出部の案内レールに沿って移動した後方の移動端では、前記補給機が、前記下部収納空間内に位置して、支持台に設置される遊技機からの貸出計数物を受け取ることができる位置に配置されると共に、前記補給機に接続される研磨機リフトユニットが、前記上部収納空間で遊技機の上部側に備える前記補給ホッパに前記貸出計数物を供給する第２移動位置に配置されることを特徴とする遊技機用支持フレーム体。
【請求項２】
前記第２収納部は、収納開口となる開口枠の幅方向における当該開口枠の一部を当接連結部として着脱自在に設置し、
前記当接連結部は、前記研磨機リフトユニットと補給機の接続部分に対応する範囲において、前記当接連結部から取付手段を介して着脱自在に設けられていることを特徴とする請求項１に記載の遊技機用支持フレーム体。
【請求項３】
前記フレーム本体は、予め設定された前記遊技機であるパチンコ機を設置する第１取付位置と、前記遊技機であるパチスロ機を設置する第２取付位置とに前記支持台の高さを調整できるように形成した調整取付機構を備え、
前記調整取付機構は、前記右側部及び前記左側部の互いに対向する対向位置となる前記支持台を支持するフレーム内側面に、前記第１取付位置及び前記第２取付位置に対応して設けた係合溝を有し、
前記支持台は、前記前板側に配置される前記フレーム内側面の前記係合溝にそれぞれ係合する前側係合突部を備える支持台フレームと、この支持台フレームに着脱自在に設置されると共に前記フレーム内側面の他の前記係合溝に係合する後側係合突部を備える長尺フレームと、前記支持台フレーム及び長尺フレームが前記係合溝に係合して前記支持台フレームに前記長尺フレームが装着した状態で支持される前記遊技機を載置する台板とを有することを特徴とする請求項１に記載の遊技機用支持フレーム体。
【請求項４】
前記フレーム本体は、予め設定された前記遊技機であるパチンコ機を設置する第１取付位置と、前記遊技機であるパチスロ機を設置する第２取付位置とに前記支持台の高さを調整できるように形成した調整取付機構を備え、
前記調整取付機構は、前記右側部及び前記左側部の互いに対向する対向位置となる前記支持台を支持するフレーム内側面に、前記第１取付位置及び前記第２取付位置に対応して設けた係合溝を有し、
前記係合溝は、前記前側の一対または後側の一対となる少なくとも一方が、前記フレーム内側面において一端から他端まで連続する連続溝であり、
前記支持台は、前記連続溝から挿通して前記係合溝及び前記連続溝に係合する支持台フレームと、この支持台フレームに着脱自在に設置され前記遊技機を載置する台板とを有することを特徴とする請求項１に記載の遊技機用支持フレーム体。
【発明の詳細な説明】
【技術分野】
【０００１】
本発明は、パチンコ機及びパチスロ機を含む遊技機を支持する遊技機用支持フレーム体に係り、特に、単体で貸し玉等を循環させる循環ルートを設定することができる遊技機用支持フレーム体に関する。
【背景技術】
【０００２】
従来、貸し玉で遊ぶパチンコ機や、コインで遊ぶパチスロ機などの遊技機は、単体で支持フレームに支持された構成として、様々なものが提案され、例えば、その一例として、独立単体型パチンコ機がある（例えば、特許文献１、２参照）。この独立単体型パチンコ機は、使用する貸し玉を、一台のパチンコ機が保持された支持体となる筐体（単島）内で研磨しながら循環させ、他の場所からの貸し玉の補給をしなくて良い構成を用いている。
【０００３】
具体的な構造として、図１０（ａ）〜（ｃ）に示すように、独立単体型パチンコ機２００は、パチンコ機Ｐを支持するボックス形の包装箱２０１の前面に当該パチンコ機Ｐと玉貸機ＫＳを並設し、包装箱２０１内に景品玉計数回収器２２０及び玉研磨揚送機３００を設置した構成を備えている。そして、独立単体型パチンコ機２００は、パチンコ機Ｐ及び景品玉計数回収器２２０から排出されたパチンコ玉を玉研磨揚送機３００により揚送し、玉貸機ＫＳ及びパチンコ機Ｐの上部にそれぞれ貸し玉及び景品玉として供給することにより、包装箱２０１内でパチンコ玉を循環させている。そして、独立単体型パチンコ機２００は、景品玉計数回収器２２０の計数玉数表示器２６０を包装箱２０１の前面に設けて、貸し玉の状態を遊技者に分かるように表示している（特許文献１）。
【先行技術文献】
【特許文献】
【０００４】
【特許文献１】特開平１０−１７９８９８号公報
【特許文献２】特開平１０−１７９８９９号公報
【発明の概要】
【発明が解決しようとする課題】
【０００５】
しかし、従来の循環ルートを備える独立単体型パチンコ機（遊技機用支持フレーム体）の構成では、さらに改良する余地があり、以下で示す問題を解決する必要があった。
従来の独立単体型パチンコ機の構成では、貸し玉が予め設定された循環ルートに沿って循環して動作するため、貸し玉の汚れ等を除去する玉研磨揚送機を定期的に清掃する等のメンテナンスの必要がある。そして、玉研磨揚送機のメンテナンスをする場合、フレーム内部に玉研磨揚送機が配置された状態のままで、フレームの内部に作業者が無理な体勢で清掃作業等を行っているのが現状である。
また、従来の独立単体型パチンコ機は、貸し玉が循環ルートに沿って循環して供給される構造であるため、何らかの原因で玉研磨揚送機に障害が発生した場合には、遊技者が座る正面側あるいは背面側からの操作を行う必要があるが、直ぐに操作ができる構成を備えていない。
【０００６】
本発明は、前記の問題点に鑑み創案されたものであり、単体で貸し玉等を循環ルートで循環させるときに設置される研磨機リフトユニットの清掃等のメンテナンスが容易となる遊技機用支持フレーム体を提供することを課題とする。
【課題を解決するための手段】
【０００７】
本発明に係る遊技機用支持フレーム体は、前記の問題を解決するため、以下のように構成した。すなわち、遊技機用支持フレーム体は、パチンコ機を含む遊技機を着脱自在に保持し、当該遊技機に使用され、計数して景品と交換の対象となる貸し玉である貸出計数物を、当該フレーム内に設置される補給機及び当該補給機に接続される研磨機リフトユニットにより循環させる循環ルートを設定することができる遊技機用支持フレーム体において、前記遊戯機用支持フレームは、前記遊戯機を支持台で支持するフレーム本体と、このフレーム本体の下部に設けた移動用のキャスタと、を備え、前記フレーム本体は、前記支持台の下部に前記補給機を支持する引出部を設置するために設けた下部収納空間と、前記支持台に支持される遊技機の上部に前記遊技機の補給ホッパにより前記研磨リフトユニットからの貸出計数物を受け取るために設けた上部収納空間と、前記支持台の左右位置に取り付けられ当該支持台に支持される遊戯機に隣り合うように設けた右側部及び左側部とを備える構成とした。
そして、前記遊技機用支持フレーム体において、前記右側部及び前記左側部の一方には、前記遊技機の前記貸出計数物の貸出装置を収納する収納空間に隣接して設けた第１収納部を形成し、前記右側部及び前記左側部の他方には、前記引出部に載置して収納される前記貸出計数物の補給機に接続される研磨機リフトユニットを収納する第２収納部を形成し、前記引出部は、前記下部収納空間内となる位置の前記フレーム本体に設けられる案内レールと、この案内レールに移動可能に支持され前記補給機を載置する載置台と、この載置台に突出させて設けられ前記補給機の載置位置を決める位置決め片とを備える構成とした。
さらに、前記遊技機用支持フレーム体は、前記引出部の案内レールに沿って移動した前方の移動端では、前記補給機が、前記下部収納空間の前面側を塞ぐように設置される前板よりも前方となる移動位置に配置されると共に、前記補給機に接続される前記研磨機リフトユニットが、前記第２収納部よりも前方となる第１移動位置に配置され、前記引出部の案内レールに沿って移動した後方の移動端では、前記補給機が、前記下部収納空間内に位置して、支持台に設置される遊技機からの貸出計数物を受け取ることができる位置に配置されると共に、前記補給機に接続される研磨機リフトユニットが、前記上部収納空間で遊技機の上部側に備える前記補給ホッパに前記貸出計数物を供給する第２移動位置に配置される構成とした。
【０００８】
かかる構成により、遊技機用支持フレーム体は、貸し玉であるパチンコ玉等の貸出計数物がフレーム本体に取り付ける遊技機から補給機に向けて送られてくると、下部収納空間内に設けられた引出部の載置台に載置されている補給機の受取開口から受け取る。そして、遊技機用支持フレーム体は、受け取った貸出計数物を研磨機リフトユニットに送り出し、研磨機リフトユニットにより揚送しながら研磨して遊技機の上方に送り、上部収納空間に位置する遊技機の補給ホッパに貸出計数物を供給する。遊技機用支持フレーム体は、研磨機リフトユニットをフレーム本体から取出す場合には、第２収納部に例えば設けた収納扉を開放し、また、下部収納空間の前面に設けられる前板を外して、載置台を案内レールに沿って引き出すと、載置台に載置された補給機及び研磨機リフトユニットを引き出して操作することができる第１移動位置に配置することができる。そして、遊技機用支持フレーム体では、引き出された研磨機リフトユニットは、その前方の移動端において研磨面を有する部材の交換等の操作を行うことがフレーム本体の外側で簡単に行うことができる。また、遊技機支持フレームでは、交換等の操作が終了した研磨機リフトユニットは案内レールに沿って載置台を押し込むことで、その後方の移動端において、前記補給機が、前記下部収納空間内に位置して、支持台に設置される遊技機からの貸出計数物を受け取ることができる位置に配置されると共に、前記研磨機リフトユニットが、前記遊技機の上部側に備える補給ホッパに前記貸出計数物を供給する位置となる第２移動位置に配置されこととなり、直ぐに、遊技機による遊技を再開できる状態となる。
【０００９】
さらに、遊技機用支持フレーム体において、前記第２収納部は、収納開口となる開口枠の幅方向における当該開口枠の一部を当接連結部として着脱自在に設置し、前記当接連結部は、前記研磨機リフトユニットと補給機の接続部分に対応する範囲において、前記当接連結部から取付手段を介して着脱自在に設けられている構成としてもよい。
【００１０】
かかる構成により、遊技機用支持フレーム体は、第２収納部の強度を上げるように開口枠の一部が当接連結部として連続した枠状態に形成されていても、当接連結部が取付手段の操作により開口枠の部分から着脱させて、研磨機リフトユニットを引き出すあるいは収納する操作を行うことができる。そして、遊技機用支持フレーム体は、取付手段を作業者が工具を使用することなく手作業で着脱する動作をすることができる、例えば、蝶ネジや留金構造であればより簡単に操作できる。
【００１１】
また、遊技機用支持フレーム体において、前記フレーム本体は、予め設定された前記遊技機であるパチンコ機を設置する第１取付位置と、前記遊技機であるパチスロ機を設置する第２取付位置とに前記支持台の高さを調整できるように形成した調整取付機構を備え、前記調整取付機構は、前記右側部及び前記左側部の互いに対向する対向位置となる前記支持台を支持するフレーム内側面に、前記第１取付位置及び第２取付位置に対応して設けた係合溝を有し、前記支持台は、前記前板側に配置される前記フレーム内側面の前記係合溝にそれぞれ係合する前側係合突部を備える支持台フレームと、この支持台フレームに着脱自在に設置されると共に前記フレーム内側面の他の前記係合溝に係合する後側係合突部を備える長尺フレームと、前記支持台フレーム及び長尺フレームが前記係合溝に係合して前記支持台フレームに前記長尺フレームが装着した状態で支持される前記遊技機を載置する台板とを有する構成としてもよい。
【００１２】
かかる構成により、遊技機用支持フレーム体は、支持台フレームの左右となる位置に形成された前側係合突部をフレーム本体の前板側となる係合溝に係合させ、長尺フレームの左右となる位置に形成された後側係合突部をフレーム本体の後側となる係合溝に係合させて、長尺フレームを支持台フレームに装着する。そして、支持台フレームに台板を設置して遊技機を支持する。
【００１３】
そして、遊技機用支持フレーム体において、前記フレーム本体は、予め設定された前記遊戯機であるパチンコ機を設置する第１取付位置と、前記遊戯機であるパチスロ機を設置する第２取付位置とに前記支持台の高さを調整できるように形成した調整取付機構を備え、前記調整取付機構は、前記右側部及び前記左側部の互いに対向する対向位置となる前記支持台を支持するフレーム内側面に、前記第１取付位置及び第２取付位置に対応して設けた係合溝を有し、前記係合溝は、前記前側の一対または後側の一対となる少なくとも一方が、前記フレーム内側面において一端から他端まで連続する連続溝であり、前記支持台は、前記連続溝から挿通して前記係合溝及び前記連続溝に係合する支持台フレームと、この支持台フレームに着脱自在に設置され前記遊技機を載置する台板とを有する構成としても構わない。
【００１４】
かかる構成により、遊技機用支持フレーム体は、支持台を連続溝の形成されている側から挿通することで、遊技機の種類に対応して支持台の設置高さを係合溝及び連続溝に係合させて調整することができる。
【発明の効果】
【００１５】
本発明に係る遊技機用支持フレーム体は、以下に示す優れた効果を奏するものである。
遊技機用支持フレーム体は、遊技機を支持するフレーム本体の下部収納空間内に引出部を設け、その引出部の出し入れにより、補給機及び研磨機リフトユニットがフレーム本体の下部収納空間の前面に設けられる前板、及び、第２収納部に設けた収納扉よりも外側となる第１移動位置、あるいは、補給機の貸出計数物を受け取る位置および研磨機リフトユニットが研磨して揚送して遊技機の補給ホッパに供給できる位置となる第２移動位置に容易に移動させることができる。したがって、遊技機用支持フレーム体は、補給機及び研磨機リフトユニットのメンテナンスが容易に無理な姿勢をとることなく短時間で行なうことが可能となる。
【００１６】
遊技機用支持フレーム体は、第２収納部の開口枠の一部を当接連結部として着脱自在にして研磨機リフトユニットの引き出す操作あるいは収納する操作を行う構成とすることで、フレーム強度を維持して、補給機及び研磨機リフトユニットのメンテナンスが容易に無理な姿勢をとることなく短時間で行なうことが可能となる。
また、遊技機用支持フレーム体は、支持台の位置を容易に調整できるため、使用する遊技機の種類をパチンコ機からパチスロ機あるいはパチスロ機からパチンコ機に調整する場合に容易に操作することができる。
さらに、遊技機用支持フレーム体は、支持台の高さを調整する操作において、連続溝が形成されていることで、支持台を連続溝側から挿通させて高さの調整の操作が行えるので、高さ調整における取り扱いが更に容易となる。
【図面の簡単な説明】
【００１７】
【図１】本発明に係る遊技機用支持フレーム体の全体を示す斜視図である。
【図２】本発明に係る遊技機用支持フレーム体を示す正面図である。
【図３】本発明に係る遊技機用支持フレーム体において補給機及び研磨機リフトユニットの収納位置及び引出位置を示す図であり、（ａ）は補給機及び研磨機リフトユニットを引き出した状態を示す側面図、（ｂ）は研磨機リフトユニットのＸ−Ｘにおける断面図である。
【図４】本発明に係る遊技機用支持フレーム体における引出部の移動状態を示す部分的に省略した斜視図であり、（ａ）は引出部を第２移動位置としたときの斜視図、（ｂ）は引出部を第１移動位置としたときの斜視図である。
【図５】本発明に係る遊技機用支持フレーム体の引出部を示す斜視図であり、（ａ）は引出部の第２移動位置を他の構成を切り欠いて示す斜視図、（ｂ）は当接連結部を取り外した状態を他の構成を切り欠いて示す引出部の斜視図、（ｃ）は引出部の第１移動位置を他の構成を切り欠いて示す斜視図である。
【図６】本発明に係る遊技機用支持フレーム体を示す平面図である。
【図７】本発明に係る遊技機用支持フレーム体における支持台を他の部分を切り欠いて示す斜視図である。
【図８】本発明に係る遊技機用支持フレーム体における支持台の分解状態を他の部分を切り欠いて示す分解斜視図である。
【図９】本発明に係る遊技機用支持フレーム体における支持台を支持する調整取付機構の他の構成を、一部を切り欠いて示す斜視図である。
【図１０】従来の遊技機の遊技機用支持フレーム体を示す図であり、（ａ）は遊技機用支持フレーム体の正面図、（ｂ）は（ａ）のＡ−Ａ線における断面図、（ｃ）は（ａ）のＢ−Ｂ線における断面図である。
【発明を実施するための形態】
【００１８】
以下、本発明に係る遊技機用支持フレーム体についての実施の形態を、図面を参照して説明する。なお、一例として、遊技機としてパチンコ機を支持する構成として遊技機用支持フレーム体を説明する。したがって、補給機及び研磨機リフトユニットは、貸出計数物である貸し玉（パチンコ玉）を循環する構成として説明する。
図１及び図２に示すように、遊技機用支持フレーム体１は、パチンコ機やパチスロ機等の遊技機Ｐｍを支持するものであり、高さ調整することができる支持台３０を介して遊技機Ｐｍを支持するフレーム本体１０と、フレーム本体１０において支持台３０の下方に設置された引出部２０と、フレーム本体１０の下端に設けた移動用のキャスタ４０と、を備えている。
【００１９】
図１及び図２に示すように、フレーム本体１０は、左側部２及び右側部３の間に支持台３０が設置されるように構成され、左側部２及び右側部３は、背面側に設けられる背面板９等により空間を内部に有するように形成されている。このフレーム本体１０は、左側部２及び右側部３の対面する内側において、支持台３０の下方に引出部２０を設置する下部収納空間Ｕ１と、支持台３０に支持する遊技機Ｐｍの遊技機収納空間Ｕ２と、支持された遊技機Ｐｍの上方に補給ホッパＫｈを設置する上部収納空間Ｕ３とを形成できるように構成されている。フレーム本体１０は、ステンレス、アルミ合金等の金属材料で折り曲げあるいは溶接またはネジ止め等により形成されることや、樹脂等であっても、遊技機Ｐｍ等を支持して安全に使用できるものであれば構わない。また、フレーム本体１０の左側部２及び右側部３は、支持台３０に設けた遊技機Ｐｍに対して隣り合う位置に配置されるようになる。つまり、左側部２及び右側部３は、遊技機Ｐｍを設置するときに必要な機器を設置できる空間を空けた状態や、遊技機Ｐｍに対して隣接した状態で配置されること等、予め種類が特定されている遊技機Ｐｍ（例えばパチンコ機あるいはパチスロ機）のいずれの状態にも対応できるような位置に配置されている。
【００２０】
左側部２は、ここでは、外側が一平面となるように形成された外側平面と、遊技機収納空間Ｕ２に対応する位置で、少なくとも支持台３０が支持される範囲において内側に折り曲げ形成された前方左内側面２ａと、後方左内側面２ｂとを備えている。また、左側部２は、その正面側において、分煙ボードＢｂ等を収納するための第１収納部２ｃが遊技機収納空間Ｕ２に対応する幅範囲において形成されている。この第１収納部２ｃは、左側部２の正面側となる部分を長方形に切欠いて形成され、収納される分煙ボードＢｂ等の構造物に対応して付属する部品等が設置できるような空間が前方から後方に亘って形成されている。第１収納部２ｃの内側面に対応する部分（遊技機設置空間との境界）には、その収納空間を仕切るための仕切り板が設置されていても、設置されていなくてもどちらでも構わない。
なお、ここでは、左側部２に隣接する内側には、遊技機収納空間Ｕ２において貸し玉両替機（貸出装置）Ｒｔが設置されるようになっている。つまり、遊技機収納空間Ｕ２は、支持台３０に遊技機Ｐｍと玉貸し両替機Ｒｔが隣接して配置され、玉貸し両替機Ｒｔが設定された位置に隣接するように第１収納部２ｃが形成されている。
【００２１】
右側部３は、ここでは、外側面が一平面となるように形成された外側平面と、遊技機収納空間Ｕ２に対応する位置で、少なくとも支持台３０が支持される範囲において内側に折り曲げて形成された前方右内側面３ａ（図６，７参照）と、後方右内側面３ｂ（図６，７参照）とを備えている。また、右側部３は、その正面で上端側から下端側に亘って研磨機リフトユニットＬｕを収納する第２収納部４を形成している。この第２収納部４は、研磨機リフトユニットＬｕを出し入れすることができる幅と長さ及び奥行に亘って空間が形成されている。また、第２収納部４は、その細長い長方形の開口枠５に収納扉６が設けられるようになる。そして、収納扉６は、開口枠５の外側フレームに設けた蝶番（図示せず）により開閉自在に動作できるように構成されている。なお、第２収納部４の内側面に対応する部分（遊技機設置空間との境界）には、その収納空間を仕切るための仕切り板が設置されていても、設定されていなくてもどちらでも構わない。
【００２２】
また、第２収納部４は、収納扉６の扉当接部である開口枠５の一部となる当接連結部７を備えている。この当接連結部７は、開口枠５に取付手段８を介して着脱自在になるように設置されている。この当接連結部７は、上下の２箇所に開口枠５の一部と連結するための開口あるいは溝が形成され、ネジあるいは蝶ネジ等の取付手段８により開口枠５に着脱自在に連結されるように構成されている。なお、蝶ネジ等のように作業者が工具を使用することなく操作できる構成の場合には、その蝶頭部分は、内側になるようにネジ止めの方向が内側から正面に向かうようにして取り付けられ、収納扉６の開閉の障害にならないように設定される。
なお、開口枠５を備える右側部３では、図５に示すように、右側部３の下部となる位置に上方が開口した箱状のフレーム体３ｄを設置して、フレーム全体の強度を高めている。なお、図示しないが右側部３は、上部にもフレーム体３ｄを反転した状態で設置されていることが好ましい。また、左側部２においても、フレーム体３ｄと同様の構成を上部と下部において設置されることが好ましい。
【００２３】
さらに、図８に示すように、左側部２の内側面及び右側部３の内側面には、支持台３０の高さ位置を調整する調整取付機構３７が形成されている。この調整取付機構３７は、ここでは、左側部２及び右側部３のフレーム板の部分を内側に折り曲げて形成された前方左内側面２ａ、後方左内側面２ｂ、前方右内側面３ａ、後方右内側面３ｂにおいて、予め設定された第１取付位置及び第２取付位置に形成された係合溝である第１係合溝３５及び第２係合溝３６を有している。
【００２４】
第１係合溝３５は、左側部２の前方左内側面２ａ及び後方左内側面２ｂに、第１係合溝３５の一方となる前方係合溝３５ａ及び後方係合溝３５ｂが形成されると共に、第２係合溝３６の一方となる前方係合溝３６ａ及び後方係合溝３６ｂが、互いに対向する対向位置に形成されている。さらに、第１係合溝３５は、右側部３の前方右内側面３ａ及び後方右内側面３ｂに、第１係合溝３５の他方となる前方係合溝３５ａ及び後方係合溝３５ｂとが形成されると共に、第２係合溝３６の他方となる前方係合溝３６ａ及び後方係合溝３６ｂが、互いに対向する対向位置に形成されている。
【００２５】
そして、支持台３０は、前方係合溝３５ａ，３５ａ、後方係合溝３５ｂ，３５ｂの４箇所に形成された第１係合溝３５に、前側係合突部３１ｃ，３１ｃ及び後側係合突部３２ｃ，３２ｃが係合することで、フレーム本体１０に支持されることになる（図７，８参照）。また、支持台３０は、遊技機Ｐｍの種類が変わることにより（例えば、パチンコ機からパチスロ機）、第１係合溝３５から取り外され、前方係合溝３６ａ，３６ａ、後方係合溝３６ｂ，３６ｂの４箇所となる第２係合溝３６に、前側係合突部３１ｃ，３１ｃ及び後側係合突部３２ｃ，３２ｃが係合することで、支持されることになる（図７，８参照）。
【００２６】
フレーム本体１０は、実際に遊技機Ｐｍを支持してパチンコ店などで使用される場合には、下部収納空間Ｕ１を隠蔽するように下部前板（図示せず）が着脱自在に設けられることになる。また、フレーム本体１０は、遊技機Ｐｍの上部収納空間Ｕ３を正面側から隠蔽する上部前板ＭＴが着脱自在に設置される。なお、フレーム本体１０は、実際に遊技機Ｐｍで顧客が使用するときに必要となる電飾や、出玉表示パネル、当り玉計数機等の一般的な構造物、機器が取り付けられることになる。
また、フレーム本体１０は、図１に示すように、強度を確保するために適宜接続フレーム１ａ，１ｂがビスあるいは溶接等の手段により、左側部２及び右側部３に取り付けられている。
【００２７】
下部収納空間Ｕ１には、引出部２０が、補給機Ｈｍ及び研磨機リフトユニットＬｕを載置して収納あるいは引出し自在になるように設けられている。この引出部２０は、フレーム本体１０の背面板９の内側及び右側部３の内側にビス等により固定される案内レール２１と、この案内レール２１に沿って移動する載置台２３と、この載置台２３に設けた位置決め片２４とを備えている。
図５（ａ）〜（ｃ）に示すように、案内レール２１は、左右に設けた固定レール２２ａと、この固定レールに沿って移動する移動レール２２ｂとを備え、移動レール２２ｂに載置台２３が設置されている。
【００２８】
図４に示すように、引出部２０は、案内レール２１の固定レール２２ａに沿って移動レール２２ｂが摺動（移動）することで載置台２３を移動させ、補給機Ｈｍ及び研磨機リフトユニットＬｕを収納及び引出すようにしている。図３及び図４（ａ）に示すように、この引出部２０は、載置台２３の後方の移動端において、載置した補給機Ｈｍ及び研磨機リフトユニットＬｕを、下部収納空間Ｕ１内及び第２収納部４内に収納する位置である第１移動位置Ａａとする。また、図３及び図４（ｂ）に示すように、引出部２０は、載置台２３の前方の移動端において、載置した補給機Ｈｍ及び研磨機リフトユニットＬｕを、下部収納空間Ｕ１の外側及び第２収納部４の収納扉６の外側に配置する位置である第２移動位置Ａｂとする。
【００２９】
また、引出部２０は、図４及び図５に示すように、その載置台２３の上面の所定位置に位置決め片２４が設けているので、この位置決め片２４の位置に沿って補給機Ｈｍの筐体を合わせて配置すれば、補給機Ｈｍの載置台２３上の位置が決まり、かつ、引出す動作あるいは収納する動作により補給機Ｈｍの位置がずれることがない。さらに、補給機Ｈｍは、位置決め片２４に沿って載置台２３上に載置されているだけなので、載置台から下ろして作業する場合にも、補給機Ｈｍを載置台２３から簡単に取り外せるために都合がよい。
【００３０】
なお、位置決め片２４は、予め設定された位置に補給機Ｈｍを載置するためのものであり、案内レールにより載置台２３が移動したときに、補給機Ｈｍが載置台２３から落下しない高さを有している。また、位置決め片２４は、その先端が垂直よりも広角となるように形成されることが好ましく、先端が垂直よりも外側に広角に開いていることにより、補給機Ｈｍを上方から載置台２３に載置するときに位置の調整が容易となり都合がよい。
【００３１】
図７及び図８に示すように、支持台３０は、フレーム本体１０に着脱自在に設置されて遊技機Ｐｍを支持するためのものである。この支持台３０は、ここでは、支持する遊技機Ｐｍ、例えば、パチンコ機あるいはパチスロ機のどちらかを支持するかにより、フレーム本体１０において支持される高さを変えることができるように構成されている。支持台３０は、支持台フレーム３１と、長尺フレーム３２と、台板３３とを備えている。
図７に示すように、支持台フレーム３１は、台板３３を支持する支持面を有する支持面部３１ａと、この支持面部３１ａの両端に平面方向を直交させて形成した立上側面部３１ｂ，３１ｂと、支持面部３１ａと同一平面状となるように支持面部３１ａの両端側で立上側面部３１ｂ，３１ｂよりも外側に突出して設けた前側係合突部３１ｃ，３１ｃとを備えている。そして、支持台フレーム３１は、支持面部３１ａ及び立上側面部３１ｂ，３１ｂによりコ字形に形成されている。
【００３２】
図８に示すように、長尺フレーム３２は、支持台フレーム３１に装着されて支持台フレーム３１と合わせて台板３３を支持するためのものである。この長尺フレーム３２は、支持面部３１ａの反対側となる立上側面部３１ｂ，３１ｂに着脱自在に装着されて台板３３の後方側の支持面となる。長尺フレーム３２は、後方支持面部３２ａと、この後方支持面部３２ａから上方に突出するように設けた支持片３２ｂ，３２ｂと、この支持片３２ｂ，３２ｂから、支持面部３１ａの高さを合わせた位置で側外に突出する後側係合突部３２ｃ，３２ｃとを備えている。長尺フレーム３２は、立上側面部３１ｂ，３１ｂの内側に隣接して重なる位置に、支持片３２ｂ，３２ｂを設けている。この長尺フレーム３２は、支持台フレーム３１への装着手段であるネジにより装着されるように、支持片３２ｂにネジ孔が形成され、立上側面部３１ｂ，３１ｂに予め形成されているネジ孔に対応させた状態で配置され、ネジ止めされることで支持台フレーム３１に取り付けられる。
【００３３】
支持台３０は、支持台フレーム３１の前側係合突部３１ｃ，３１ｃを前方係合溝３５ａ，３５ａに係合させた状態とし、長尺フレーム３２の後側係合突部３２ｃ，３２ｃを後方係合溝３５ｂ，３５ｂに係合した状態で、長尺フレーム３２を支持台フレーム３１に接続させる。そして、支持台フレーム３１に接続した長尺フレーム３２に台板３３を設置することで、支持台３０を左側部２及び右側部３の間に設置している。
【００３４】
遊技機Ｐｍを支持するための機械台枠固定木である台板３３は、木材で矩形に形成され支持台フレーム３１及び長尺フレーム３２からなるテーブル枠に装着できるように形成されている。この台板３３は、遊技機Ｐｍの底板をネジ等により固定した状態で支持するためのものである。なお、台板３３は、後記する膳板ＧＰが底面にネジ等により固定される状態となる（図７参照）。
この支持台３０に遊技機Ｐｍが支持されたとき、遊技機収納空間Ｕ２の後方側の空間が空けられて遊技機Ｐｍに必要となる配線や部品を設置するスペースが確保された状態となっている（図３参照）。
【００３５】
図２に示すように、遊技機Ｐｍを支持台３０で支持したときに、フレーム本体１０の上部収納空間Ｕ３には、遊技機Ｐｍの補給ホッパＫｈが収納できるように空間が形成されている。また、図６に示すように、右側部３の第２収納部４に収納された研磨機リフトユニットＬｕから供給される、例えば貸し玉を補給ホッパＫｈに供給できるように、第２収納部４の上部収納空間Ｕ３に対面する位置が当該上部収納空間Ｕ３に連通している。したがって、研磨機リフトユニットＬｕから貸し玉が研磨されながら揚送され、先端の送出口から補給ホッパＫｈに貸し玉が送り出すことができる状態になっている。なお、研磨機リフトユニットＬｕの送出口Ｅｔは、第２収納部４内に位置しており、貸し玉の供給、及び、研磨機リフトユニットＬｕが第２収納部４から出し入れされるときに障害となることがないように設置されている。
【００３６】
図１乃至図３及び図６に示すように、フレーム本体１０の下端に設けられた移動用のキャスタ４０は、フレーム本体１０を設置された設置フロア等において所定の位置に移動させるものである。このキャスタ４０は、左側部２及び右側部３の下面に４箇所、固定されており、走行可能な状態とストッパにより停止状態とに操作できる一般的な構成を備えている。
【００３７】
なお、下部収納空間Ｕ１に配置される補給機Ｈｍは、研磨機リフトユニットＬｕ、遊技機Ｐｍの補給ホッパＫｈ、遊技機Ｐｍ、樋Ｔｂとする予め設定された循環経路内に配置され、かつ、遊技機Ｐｍに貸し玉Ｂｗを補給するものである。この補給機Ｈｍは、その上面に形成されている受取開口ＯＰに、遊技機Ｐｍの下部に設定される樋Ｔｂから送られてきた貸し玉Ｂｗを受取ると、接続されている研磨機リフトユニットＬｕに貸し玉Ｂｗを送り出して循環させている。
また、補給機Ｈｍに接続されて第２収納部４に収納される研磨機リフトユニットＬｕは、貸し玉Ｂｗを補給機Ｈｍから受取って補給ホッパＫｈに揚送しながら貸し玉Ｂｗを研磨して送り、研磨した貸し玉Ｂｗを補給ホッパＫｈに供給するものである。この研磨機リフトユニットＬｕは、図３（ｂ）に示すように、貸し玉Ｂｗの通路内に研磨布ＡＰが着脱自在に設置されている市販のものと同じ構成である。この研磨機リフトユニットＬｕは、先端に形成した送出口Ｅｔが図２に示すように、補給ホッパＫｈに隣接して配置されている。
【００３８】
つぎに、遊技機用支持フレーム体１の作用について説明する。
遊技機用支持フレーム体１は、正面の遊技機収納空間Ｕ２に支持台３０を介して遊技機Ｐｍを固定し、その遊技機Ｐｍ及び第１収納部２ｃの間に貸し玉両替機Ｒｔが設置される。そして、第１収納部２ｃには、例えば、分煙ボードＢｂが遊技者あるいはフロア担当等の作業者により収納取出し自在に設けられる。そして、遊技機用支持フレーム体１は、遊技機Ｐｍが設置されると補給ホッパＫｈが遊技機Ｐｍの上部側に設けられ、かつ、遊技機Ｐｍの下部側には、樋Ｔｂが設けられる。なお、遊技機Ｐｍが設置されるときには、台板３３に膳板ＧＰが固定された状態になっている。また、フレーム本体１０の上部収納空間Ｕ３の正面側に上部前板ＭＴが設置され、図示しないランプ等が設けられるようになっている。
【００３９】
そして、遊技機用支持フレーム体１は、下部収納空間Ｕ１に設置されている引出部２０の第１移動位置Ａａ（図３（ａ）参照）において載置台２３に設けた位置決め片２４に沿って補給機Ｈｍが載置される。また、補給機Ｈｍには、研磨機リフトユニットＬｕが接続される。そして、遊技機用支持フレーム体１は、第２収納部４の収納扉６を開口して、引出部２０を第２移動位置Ａｂに移動させると、補給機Ｈｍの受取開口ＯＰが樋Ｔｂから貸し玉Ｂｗを受け取り位置となり、かつ、研磨機リフトユニットＬｕの送出口Ｅｔが補給ホッパＫｈに貸し玉Ｂｗを供給できる位置となる。遊技機用支持フレーム体１は、引出部２０が第２移動位置Ａｂして、フレーム本体１０の下部収納空間Ｕ１の前面を塞ぐ下部前板（図示せず）が設置される。
【００４０】
また、遊技機用支持フレーム体１は、４つのキャスタ４０の図示しないストッパを外すと、移動できる状態になるので、フレーム本体１０内に機器等を設置する前に、フロアの設置位置に予め移動することも、フレーム本体１０内に機器等を設置した後に移動することも可能となる。
さらに、遊技機用支持フレーム体１は、支持している遊技機Ｐｍの種類を変える場合には、支持台３０の高さを調整することができ、遊技機Ｐｍを台板３３から外し、台板３３を支持台フレーム３１及び長尺フレーム３２から除き、長尺フレーム３２を支持台フレーム３１から取り外す。そして、遊技機用支持フレーム体１は、支持される位置を第１取付位置から第２取付位置に変更して支持台フレーム３１をフレーム本体１０に支持し、長尺フレーム３２を支持台フレーム３１に取り付けてフレーム本体１０に支持し、台板３３を設置して変更するパチスロ機等の遊技機Ｐｍを設置する。
【００４１】
このように、遊技機用支持フレーム体１では、支持する遊技機Ｐｍの高さにともなって、支持台３０の高さもスムーズに調整できる。また、隣り合う位置に配置される貸し玉両替機Ｒｔを貸しコイン両替機（図示せず）の高さを変える場合でも他の位置の調整や、フレーム本体１０全体の調整などをほとんど行うことなく最小限で済ませることが可能となる。
【００４２】
なお、遊技機用支持フレーム体１は、パチスロ機（図示せず）を使用する場合には、研磨機リフトユニットＬｕを必要とせず、補給機Ｈｍの位置にメタル箱（落下メタル受け）が設置されることになる。従って、引出部２０の出し入れ動作によりメタル箱の取り扱いが容易となる。
【００４３】
さらに、遊技機用支持フレーム体１では、調整取付機構３７の一部の構成を図９に示すように、変更したものとしても構わない。すなわち、図９に示すように、前方左内側面２ａ、後方左内側面２ｂ、前方右内側面３ａ、後方右内側面３ｂにおいて、後方左内側面２ｂ及び後方右内側面３ｂに、後方係合溝３５ｂ，３５ｂ，３６ｂ，３６ｂ（図８参照）を当該辺の一端から他端まで連続して形成する連続溝１３５ｂ，１３５ｂ，１３６ｂ，１３６ｂとする構成としてもよい。
【００４４】
なお、連続溝１３５ｂ，１３５ｂ及び連続溝１３６ｂ，１３６ｂは、後方左内側面２ｂ及び後方右内側面３ｂの内側面から後面までに亘って形成されている。また、後面の切込み幅は、係合する係合突部の突出長さと同等以上であることが好ましい。
遊技機用支持フレーム体１は、このような連続溝１３５ｂ，１３５ｂ，１３６ｂ，１３６ｂとすることで、支持台３０の構成を支持台フレーム３１及び長尺フレーム３２とを固定した状態で、支持される高さの調整を行なうことができるので、遊技機Ｐｍの種類を取り替える作業を容易でかつ迅速に行なうことが可能となる。
図９に示す連続溝１３５ｂ、１３５ｂ，１３６ｂ、１３６ｂは、ここでは、後方左内側面２ｂ及び後方右内側面３ｂに一対として形成した例として説明したが、前側左内側面２ａ及び前側右内側面３ａに一対として形成することや、あるいは、前後の両方に形成する構成としても構わない。
【００４５】
また、遊技機Ｐｍの種類を変える場合、膳板ＧＰが長尺フレーム３２に支持される長さとして配置されるようになる場合もある。このように、膳板ＧＰの面積を大きくする場合には、パチスロ機（図示せず）が支持されることが通常である。
さらに、右側部３は、当接連結部７を開口枠５の一部として着脱自在に取り付ける構成として説明したが、開口枠５にはじめから当接連結部７がない状態として構成しても構わない。
そして、第１係合溝３５及び第２係合溝３６は、対向する位置に形成されていればよく、同一平面上でなくても構わない。つまり、支持台３０を支持できる構成であれば、前後において、あるいは、左右において、段差が生じる位置でかつ台板３３が設置面に平行となるような構成で４つの係合溝の位置は限定されるものではない。
【符号の説明】
【００４６】
１      遊技機用支持フレーム体                    １ａ    接続フレーム
２      左側部                                    ３      右側部
２ａ    前方左内側面                              ２ｂ    後方左内側面
２ｃ    第１収納部                                ３      右側部
３ａ    前方右内側面                              ３ｂ    後方右内側面
３ｄ    フレーム体                                ４      第２収納部
５      開口枠                                    ６      収納扉
７      当接連結部                                ８      取付手段
９      背面板                                    １０    フレーム本体
２０    引出部                                    ２１    案内レール
２２ａ  固定レール                                ２２ｂ  移動レール
２３    載置台                                    ２４    位置決め片
３０    支持台                                    ３１    支持台フレーム
３１ａ  支持面部                                  ３１ｂ  立上側面部
３１ｃ  前側係合突部                              ３２    長尺フレーム
３２ａ  後方支持面部                              ３２ｂ  支持片
３２ｃ  後側係合突部                              ３３    台板
３５    第１係合溝                                ３５ａ  前方係合溝
３５ｂ  後方係合溝                                ３６    第２係合溝
３６ａ  前方係合溝                                ３６ｂ  後方係合溝
３７    調整取付機構                              ４０    キャスタ
Ａａ    第１移動位置
Ａｂ    第２移動位置                              Ｂｂ    分煙ボード
Ｂｗ    貸し玉（貸出計数物）                      Ｅｔ    送出口
ＧＰ    膳板                                      Ｈｍ    補給機
Ｋｈ    補給ホッパ                                Ｌｕ    研磨機リフトユニット
ＭＴ    上部前板                                  ＯＰ    受取開口
Ｐｍ    遊技機                                    Ｔｂ    樋
Ｕ１    下部収納空間                              Ｕ２    遊技機収納空間  
Ｕ３    上部収納空間
【図１】
2013252393.tif 000003
【図２】
2013252393.tif 000004
【図３】
2013252393.tif 000005
【図４】
2013252393.tif 000006
【図５】
2013252393.tif 000007
【図６】
2013252393.tif 000008
【図７】
2013252393.tif 000009
【図８】
2013252393.tif 000010
【図９】
2013252393.tif 000011
【図１０】
2013252393.tif 000012